(57)【特許請求の範囲】
【請求項１】
複数のトレイ（５１，…）を有し、一のトレイ（５１）上での感光材料の集積を終えるとトレイ（５１，…）が移動して他のトレイ（５１）上に感光材料を集積させるよう構成された集積手段と、発色液、定着液、安定化液等の現像処理に必要な処理液を蓄えた処理液タンク（３１）に対して処理液の補充を行う補充ポンプとを備え、前記トレイ（５１，…）の駆動及び前記補充ポンプの駆動が手動にて操作可能である写真処理装置において、前記トレイ（５１，…）の駆動及び前記補充ポンプの駆動を操作可能である操作スイッチ（５３）と、前記少なくとも２つの要素の中からいずれかの要素を選択可能である選択手段とを備え、該選択手段にていずれかの要素が選択された場合には、選択された要素のみが前記操作スイッチ（５３）を用いて操作可能であるべく構成されたことを特徴とする写真処理装置。
【請求項２】
前記選択手段が、前記トレイ（５１，…）の駆動及び前記補充ポンプの駆動に関する情報を表示可能である表示手段（７０）と、該表示手段（７０）にて前記いずれかの要素を指示可能である指示手段（８０）とを用いて構成されている請求項１に記載の写真処理装置。
【発明の詳細な説明】
【０００１】
【発明の属する技術分野】
本発明は、写真処理装置に関し、詳しくは、ユーザが用いる二つ以上のスイッチの兼用化を実現した写真処理装置に関するものである。
【０００２】
【従来の技術】
従来技術に係る写真処理装置においては、感光材料がカッタ等により所定の大きさに切断され、その感光材料にネガフィルム上の画像が露光された後に、現像処理部に搬送され、感光材料に対して、現像、漂白、定着、および安定化の各処理（以下、これらの処理を総称して「現像処理」という。）が施される。そして、現像処理された感光材料は、乾燥処理部に搬送されて、乾燥された後に、感光材料を集積するトレイ等の集積部を有した集積手段に適当に保持・集積される。
【０００３】
感光材料が集積手段に集積される際には、通常、感光材料のサイズ毎、あるいはオーダ毎等の必要に応じて、適宜振り分けられて集積手段上に積み重ねられる。また、集積手段上に感光材料（被搬送物）をサイズ毎あるいはオーダ毎に整列させるためには、何らかの搬送部を有した搬送手段を用いて、被搬送物（乾燥処理後の感光材料）を集積手段にまで搬送させる必要がある。
【０００４】
図５は、従来技術に係る写真処理装置の概略斜視図を示したものである。
【０００５】
図５に示された従来技術に写真処理装置は、搬送手段１０１と、第一の集積手段１０２と、第二の集積手段１０３とを用いて構成されている。ここで、搬送手段１０１は、一定方向に回転しているベルトコンベア１０１ａ等を用いて構成されている。また、第一の集積手段１０２は、複数のトレイ１０２ａ等を用いて構成されている。この複数のトレイ１０２ａは、例えばオーダ毎に矢印ｃ方向に回転するように構成されている。
【０００６】
図５によれば、乾燥処理が終了した感光材料（被搬送物）は、そのサイズに応じて、小判であれば第一の排出部１１１から、また、大判であれば第二の排出部１１３から排出されるように構成されている。
第一の排出部１１１から排出された被搬送物（図示省略）は、ベルトコンベア１０１ａ等から成る搬送手段１０１を介して第一の集積手段１０２に搬送され、第一の集積手段１０２を構成するトレイ１０２ａ上に集積される。そして、次のオーダの被搬送物の集積を行う場合には、第一の集積手段１０２（を構成するトレイ１０２ａ）を矢印ｃ方向に回転させ、他のトレイ１０２ａ上に被搬送物の集積が行われる。
また、第二の排出部１１３から排出された被搬送物は、この第二の排出部１１３の直下に設けられている第二の集積手段１０３上に集積される。
【０００７】
以上のような従来技術に係る写真処理装置においては、係る写真処理装置をユーザが使用する際に、装置の操作性向上を図り、または装置の調整等を容易に行うために、いくつかのマニュアルスイッチ（手動スイッチ）が設けられている。
このマニュアルスイッチとしては、例えば、オーダ仕分けユニットたるトレイ１０２ａを作動させるトレイ作動スイッチ２０１（図５参照）、あるいは補充ポンプの吐出量を計測する際に補充ポンプを作動させる補充ポンプ作動スイッチ（図示省略）とがある。
【０００８】
図５に示すように、トレイ作動スイッチ２０１は、集積手段１０２を収容しているケーシング２０２の側面に設けられている。そして、従来技術に係る写真処理装置は、このトレイ作動スイッチ２０１を一度押すことによって、各トレイ１０２ａがそれぞれ矢印ｃ方向に一段ずつ移動するように構成されている。すなわち、従来技術によれば、例えば、全ての処理が終了した状態において、集積手段１０２の上部のトレイ１０２ａに被搬送物が残っている場合であっても、トレイ作動スイッチ２０１を必要な回数押すことによって、トレイ１０２ａを適当な位置にまで下降させることができるので、トレイ１０２ａから容易に被搬送物を取り出すことが可能となる。
【０００９】
また、写真処理装置において安定した品質を得るためには、所定の処理量（感光材料の処理量）に対して、所定量の処理液等を正確に補充する必要がある。処理液等の補充は、通常、補充ポンプで行われるので、この補充ポンプの吐出量については、写真処理装置立ち上げ時等において、正確に把握しておかなければならない。そのために、従来技術に係る写真処理装置においては、装置の立ち上げ時等に、補充ポンプの吐出口をメスシリンダ等に導入して、補充ポンプの正確な吐出量を測定している。この際に用いられるのが、補充ポンプ作動スイッチ（図示省略）である。従来技術において、この補充ポンプ作動スイッチは、カバー３０１（図５参照）内に設けられているので、ユーザはカバー３０１を取り外した状態で、係る吐出量の測定作業を行っている。
【００１０】
すなわち、従来技術は、二つのマニュアルスイッチ（手動スイッチ）を用いて、装置の操作性向上を図り、装置の調整等を容易に行うことが可能であるように、写真処理装置が構成されている。
【００１１】
【発明が解決しようとする課題】
しかしながら、上記従来技術に係る写真処理装置においては、ユーザが用いるマニュアルスイッチが二つ存在するため、次のような問題を有していた。
【００１２】
まず、マニュアルスイッチが一つの場合と比較すれば、設置スペースが略二倍必要であるという問題があった。また、二個分の回路等が必要となるので、一つの場合と比較すれば、コストアップになるという問題があった。さらに、マニュアルスイッチが二つ存在することにより、一つの場合と比較すれば、故障率が高くなるという問題があった。
【００１３】
そこで、本発明は上記従来技術に係る問題を解決するためになされたものであって、複数のマニュアルスイッチを統合することによって、設置する際のスペースを削減し、コストアップを抑え、故障率を低下させることが可能であるマニュアルスイッチ（操作スイッチ）を備えた写真処理装置を提供することを課題とする。
【００１４】
【課題を解決するための手段】
すなわち、上記課題を解決するための本発明は、複数のトレイ５１，…を有し、一のトレイ５１上での感光材料の集積を終えるとトレイ５１，…が移動して他のトレイ５１，…上に感光材料を集積させるよう構成された集積手段と、発色液、定着液、安定化液等の現像処理に必要な処理液を蓄えた処理液タンク３１に対して処理液の補充を行う補充ポンプとを備え、前記トレイ５１，…の駆動及び前記補充ポンプの駆動が手動にて操作可能である写真処理装置において、前記トレイ５１，…の駆動及び前記補充ポンプの駆動を操作可能である操作スイッチ５３と、前記少なくとも２つの要素の中からいずれかの要素を選択可能である選択手段とを備え、該選択手段にていずれかの要素が選択された場合には、選択された要素のみが前記操作スイッチ５３を用いて操作可能であるべく構成されたことを特徴としている。
【００１５】
本発明に係る写真処理装置によれば、前記操作スイッチ５３が少なくとも２つの要素を操作可能であるべく構成されているので、次のような効果を得ることができる。
まず、本発明によれば、一つの前記操作スイッチ５３でトレイ５１，…の駆動及び補充ポンプの駆動を作動させ得るわけであるが、作動させる要素をあらかじめ前記選択手段にて選択するので（すなわち、実際の操作の前にユーザが作動要素の確認を行うこととなるので）、ユーザは、特に混乱することなく、前記操作スイッチ５３を使用することができ、前記操作スイッチ５３使用の際のユーザの混乱を防止することが可能となる。
また、本発明によれば、一つの前記操作スイッチ５３で２つの要素を作動させ得るべく構成されている。すなわち、従来、複数個必要であったスイッチを一つにすることが可能となった。したがって、本発明によれば、スイッチの設置スペースを大幅に削減することができる。
また、本発明によれば、従来複数個必要であったスイッチを一つとしたことにより、スイッチ回りの部品等を大幅に削減することが可能となるので、コストダウンを図ることができる。
さらに、本発明によれば、従来複数個必要であったスイッチを一つとしたことにより、部品点数等が削減されるので、スイッチ回りにおける故障の発生率を従来よりも低減することが可能となる。
【００１６】
また、本発明においては、前記選択手段が、前記トレイ５１，…の駆動及び前記補充ポンプの駆動に関する情報を表示可能である表示手段７０と、該表示手段７０にて前記いずれかの要素を指示可能である指示手段８０とを用いて構成されていることが好ましい。
ここで、表示手段７０としては、例えば、ＣＲＴ、液晶ディスプレイ、プラズマディスプレイ等があげられる。また、指示手段８０としては、キーボードの他に、例えば、トラック・ボール、マウス、ライトペン、ジョイスティック、タッチスクリーン、ディジタイザ、タブレット等のポインティングデバイスがあげられる。
【００１７】
【発明の実施の形態】
以下、図面に基づいて、本発明の実施の形態を説明する。
【００１８】
図１は、本発明の実施形態に係る写真処理装置の全体斜視図を示したものである。図１に示された本実施形態に係る写真処理装置は、大きく分けて、露光処理部１０と現像処理部３０とから構成されている。また、図２は、図１の写真処理装置の概略断面図を示したものである。
【００１９】
露光処理部１０は、感光材料をロールにして収容したマガジン１１（第一のマガジン１１ａ、第二のマガジン１１ｂ）と、各マガジン１１ａ，１１ｂから供給されるいずれかの感光材料Ｐを選択する選択部１２と、感光材料Ｐを所定長さに切断するカッタ１３と、切断された感光材料Ｐに対して露光を行う露光部１４等から構成されている。露光部１４上には、側面視逆台形状にローラが配され、吸着ベルト１５が巻回されている。露光部１４においては、この吸着ベルト１５が無端回動することによって感光材料Ｐが露光ステージ１６まで送られた後に、光源部１７から照射される光でミラートンネル１８、レンズユニット１９等を介して、フィルムキャリア２０に保持されたネガフィルムＦの画像が感光材料Ｐに焼付露光される。
【００２０】
続いて、露光処理部１０で焼付露光が行われた感光材料Ｐは、複数の送りローラ、駆動ローラ等を介して、次工程である現像処理部３０に送られる。現像処理部３０は、発色液、定着液、安定化液等の現像処理に必要な処理液を蓄えた複数の処理液タンク３１，…、乾燥部３２、排出部３３，３４等から構成されている。露光が行われた感光材料Ｐは、複数の処理液タンク３１，…の処理液内に順次浸漬されながら搬送されることによって、現像処理が行われる。現像処理を終えた感光材料Ｐは、乾燥部３２に導かれ、乾燥処理を終えた後に排出部３３，３４から排出され、写真として仕上がる。
【００２１】
そして、第一の排出部３３から排出された写真（被搬送物）は、搬送手段４０を用いて、第一の集積手段５０に搬送され、第二の排出部３３から排出された写真は、第二の集積手段６０に搬送される。例えば、第一の集積手段５０には小判サイズ（例えば、その幅が１０２ｍｍ（４インチ）以下）の写真が集積され、第二の集積手段６０には大判サイズ（例えば、その幅が１２７ｍｍ（５インチ）以上）の写真が集積される。
【００２２】
また、図１および図２に示された本実施形態に係る写真処理装置においては、モニタ７０とキーボード８０が設けられている。そして、本実施形態に係る写真処理装置によれば、写真処理装置に対する種々の操作を行う際の指示をキーボード８０を用いて行うことが可能であり、また、モニタ７０の画面７１上を見知することにより、装置に出された指示情報、装置内の現在の処理状況、あるいはエラー情報等を認識することが可能となる。
【００２３】
図３は、本実施形態に係る写真処理装置を構成している集積手段およびその近傍の部分拡大斜視図を示したものである。
【００２４】
図３によれば、本実施形態に係る搬送手段４０は、一定方向に回転しているベルトコンベア４１等を用いて構成されている。また、第一の集積部５０は、複数のトレイ５１等を用いて構成されている。この複数のトレイ５１は、例えばオーダ毎に矢印ｃ方向に回転するように構成されている。さらに、第二の集積部６０は、大判サイズの写真を集積可能な大きさのトレイ等を用いて構成されている。
【００２５】
本実施形態に係る写真処理装置によれば、乾燥処理が終了した感光材料（被搬送物）は、そのサイズに応じて、小判サイズであれば第一の排出部３３から、また、大判サイズであれば第二の排出部３４から排出されるように構成されている。
第一の排出部３３から矢印ａ方向に排出された被搬送物（小判サイズの被搬送物）は、ベルトコンベア４１等から成る搬送手段４０を介して第一の集積部５０に搬送され（搬送手段４０上を矢印ｂ方向に搬送され）、第一の集積部５０を構成するトレイ５１上に集積される。この際、基本的には、一つのトレイ５１上には一つのオーダの被搬送物が集積される。そして、次のオーダの被搬送物の集積を行う場合には、第一の集積部５０（を構成するトレイ５１）を矢印ｃ方向に回転させ、他のトレイ５１上に被搬送物の集積が行われる。
また、第二の排出部３４から矢印ｄ方向に排出された被搬送物（大判サイズの被搬送物）は、この第二の排出部３４の直下に設けられている第二の集積部６０上に集積される。
【００２６】
以上のように構成された本実施形態に係る写真処理装置であれば、必要に応じて（サイズ毎あるいはオーダ毎に）、被搬送物を振り分けつつ、各集積部に対して、適当に被搬送物たる写真を集積することが可能となる。
【００２７】
また、本実施形態に係る写真処理装置には、図１および図３に示すように、第一の集積手段５０を収容しているケーシング５２の側面に、複数の要素に対して、マニュアル（手動）にて駆動開始等の信号を供給し得る、操作スイッチ５３が設けられている。
【００２８】
この操作スイッチ５３は、第一の集積手段５０を構成するトレイ５１の駆動と、処理液タンク３１に対して処理液等の補充を行う補充ポンプ（図示省略）の駆動とを、適宜、操作可能であるように構成されている。
【００２９】
本実施形態において、トレイ５１および補充ポンプは、次のような場合に、マニュアル（手動）にて駆動させる必要がある。
【００３０】
すなわち、本実施形態においては、第一の条件（後述する）を満足した状態で、操作スイッチ５３を一度押すことによって、各トレイ５１がそれぞれ矢印ｃ方向に一段ずつ移動するように構成されている。
本実施形態によれば、例えば、写真の搬送処理が全て終了した状態において、第一の集積手段５０の上部のトレイ５１に被搬送物が残っている場合であっても、操作スイッチ５３を必要な回数押すことによって、トレイ５１を適当な位置にまで下降させることができるので、トレイ５１から容易に被搬送物を取り出すことが可能となる。
【００３１】
また、写真処理装置において安定した品質を得るためには、所定の処理量（感光材料の処理量）に対して、所定量の処理液等を正確に補充する必要がある。処理液等の補充は、通常、補充ポンプで行われるので、この補充ポンプの吐出量については、写真処理装置立ち上げ時等において、正確に把握しておかなければならない。
そのために、本実施形態に係る写真処理装置においては、装置の立ち上げ時等に、補充ポンプの吐出口をメスシリンダ等に導入して、補充ポンプの正確な吐出量を測定しなければならない。そして、本実施形態においては、第二の条件（後述する）を満足した状態で、操作スイッチ５３を一度押すことによって、補充ポンプが駆動するように構成されている。さらに、その状態で、操作スイッチ５３を再度押すことによって、補充ポンプが停止するように構成されている。また、あるいは、操作スイッチ５３を一度押すことによって駆動した補充ポンプは、所定時間経過した後に駆動を停止するように構成されている。
すなわち、本実施形態においては、補充ポンプの正確な吐出量を認識するために、時間当たりの吐出量、あるいは所定量を吐出する際の時間等を測定する。
本実施形態に係る写真処理装置においては、このようにして測定された吐出量（あるいは時間）を、キーボード８０を用いて装置内部の制御部（図示省略）に入力し、この入力値（吐出量あるいは時間等）に基づいて、適宜、処理液タンク３１に対する補充が正確に行われる。
【００３２】
以下、本実施形態に係る写真処理装置を構成する操作スイッチ５３の作用・効果等を、図１から図３、および後述するフローチャートを用いて詳細に説明する。
【００３３】
図４は、本実施形態に係る写真処理装置を構成する操作スイッチ５３に関するフローチャートを示したものである。
【００３４】
本実施形態に係る写真処理装置を構成するモニタ７０においては、通常、現在の処理状態等が、その画面７１上に表示されている。したがって、図４のステップ４０１においては、まず、モニタ７０の表示画面７１の表示状態を操作スイッチ５３の設定が可能である画面（以下、「設定画面」という。）に切り換える処理を行う。具体的には、キーボード８０等を操作して、モニタ７０の画面７１を設定画面に切り換える。
【００３５】
次に、ステップ４０２においては、ステップ４０１で表示された設定画面で、本当に操作スイッチ５３の設定を行うか否かの判断が行われる。つまり、このステップ４０１は、操作スイッチ５３の設定を行う意思の再確認、あるいは誤った操作の是正のために行われるものである。
したがって、ユーザ等が真に操作スイッチ５３に関する設定を行う意思がある場合には、その旨の指示をキーボード８０等で行い（例えば、モニタ７０の画面７１上にて「Ｙｅｓ」と指示し）、次いでステップ４０３の処理が行われる。そして、誤操作等である場合には、その旨の指示をキーボード８０等で行い（例えば、モニタ７０の画面７１上にて「Ｎｏ」と指示し）、次いでステップ４１０の処理が行われる。なお、ステップ４１０については後述する。
【００３６】
ステップ４０３においては、操作スイッチ５３で操作させる要素（装置）の選択が行われる。ここでは、例えば、モニタ７０の画面７１上にて、「“１”ｏｒ“２”？」という表示を行い、キーボード８０にて“１”が選択された場合は、ステップ４０４の処理が行われ、キーボード８０にて“２”が選択された場合は、ステップ４０７の処理が行われるように構成されている。つまり、本実施形態では、操作スイッチ５３は、二つの要素（トレイ５１および補充ポンプ）を駆動させる機能を有しているので、そのどちらかを選択させる。以下、“１”の場合は、トレイ５１が選択され、“２”の場合は、補充ポンプが選択されたものとして説明する。
【００３７】
ステップ４０３にて“１”が選択された後のステップ４０４においては、本当に操作スイッチ５３にてトレイ５１を駆動させてよいか否かの判断が行われる。つまり、このステップ４０４は、操作スイッチ５３をトレイ５１を駆動させるために使用してよいかどうかの意思の再確認、あるいは誤った操作の是正のために行われるものである。
したがって、ユーザ等が真にトレイ５１についての設定を行う意思がある場合には、その旨の指示をキーボード８０等で行い（例えば、モニタ７０の画面７１上にて「Ｙｅｓ」と指示し）、次いでステップ４０５の処理が行われる。そして、誤操作等である場合（例えば補充ポンプを選択したかった場合）には、その旨の指示をキーボード８０等で行い（例えば、モニタ７０の画面７１上にて「Ｎｏ」と指示し）、再びステップ４０２の処理が行われる。
先に述べた「第一の条件を満足した状態」というのは、このステップ４０４にて「Ｙｅｓ」と判断された状態をいう。
【００３８】
ステップ４０５においては、トレイ５１を、ユーザが希望する位置にまで下降させるために、操作スイッチ５３が必要回数押される。そして、ユーザが希望する位置にまでトレイ５１が下降した後は、次いでステップ４０６の処理が行われる。
【００３９】
ステップ４０６においては、トレイ５１の操作を終了するか否かの判断が行われる。ここで、ユーザがトレイ５１の操作を終了してもよいと判断した場合（例えば、希望する位置にトレイ５１が到達した場合）には、その旨の指示をキーボード８０等で行い（例えば、モニタ７０の画面７１上にて「Ｙｅｓ」と指示し）、次いでステップ４１０の処理が行われる。そして、まだトレイ５１の操作を継続して行いたい場合には、その旨の指示をキーボード８０等で行い（例えば、モニタ７０の画面７１上にて「Ｎｏ」と指示し）、再びステップ４０５の処理が続行可能となる。なお、ステップ４１０については後述する。
【００４０】
ステップ４０３にて“２”が選択された後のステップ４０７においては、本当に操作スイッチ５３にて補充ポンプを駆動させてよいか否かの判断が行われる。つまり、このステップ４０７は、操作スイッチ５３を補充ポンプを駆動させるために使用してよいかどうかの意思の再確認、あるいは誤った操作の是正のために行われるものである。
したがって、ユーザ等が真に補充ポンプについての駆動（換言すれば補充ポンプの吐出量測定）を行う意思がある場合には、その旨の指示をキーボード８０等で行い（例えば、モニタ７０の画面７１上にて「Ｙｅｓ」と指示し）、次いでステップ４０８の処理が行われる。そして、誤操作等である場合（例えばトレイ５１を選択したかった場合）には、その旨の指示をキーボード８０等で行い（例えば、モニタ７０の画面７１上にて「Ｎｏ」と指示し）、再びステップ４０２の処理が行われる。
先に述べた「第二の条件を満足した状態」というのは、このステップ４０７にて「Ｙｅｓ」と判断された状態をいう。
【００４１】
ステップ４０８においては、補充ポンプを駆動させて、補充ポンプの吐出量測定が行われる。
このステップ４０８にて補充ポンプを操作して行われる吐出量の測定は、上述したように、操作スイッチ５３を一度押すことによって補充ポンプが駆動し、所定時間経過した後に（あるいは所定量吐出した後に）、再度操作スイッチ５３を押すことによって補充ポンプが停止するように構成して行っても、また、あるいは、操作スイッチ５３を一度押すことによって駆動した補充ポンプが所定時間経過した後に駆動を停止するように構成して行ってもよい。すなわち、本実施形態においては、補充ポンプの正確な吐出量を認識するために、時間当たりの吐出量、あるいは所定量を吐出する際の時間等を測定する。
【００４２】
なお、本実施形態に係る写真処理装置においては、補充ポンプは複数個設けられている。したがって、このステップ４０８においては、補充ポンプを選択する処理をもあわせて行う構成であることが好ましい。
具体的には、ステップ４０８の工程中に、モニタ７０の画面７１上にてどの補充ポンプを駆動させるかの選択モードを設け、そこで選択された補充ポンプのみが操作スイッチ５３にて駆動可能であるように構成されることが好ましい。
【００４３】
そして、ユーザが各補充ポンプの吐出量の測定が終了した後は、次いでステップ４０９の処理が行われる。
【００４４】
ステップ４０９においては、補充ポンプの操作を終了するか否かの判断が行われる。ここで、ユーザが補充ポンプの操作を終了してもよいと判断した場合（例えば、全ての補充ポンプについての測定が終了した場合）には、その旨の指示をキーボード８０等で行い（例えば、モニタ７０の画面７１上にて「Ｙｅｓ」と指示し）、次いでステップ４１０の処理が行われる。そして、まだ補充ポンプの操作を継続して行いたい場合（例えば、測定し忘れた補充ポンプの存在に気づいた場合）には、その旨の指示をキーボード８０等で行い（例えば、モニタ７０の画面７１上にて「Ｎｏ」と指示し）、再びステップ４０８の処理が続行可能となる。
【００４５】
ステップ４０２にて「Ｎｏ」と判断された場合、ステップ４０６および４０９にて「Ｙｅｓ」と判断された場合に行われるステップ４１０においては、モニタ７０に対して通常状態となる旨の指示が出される。すなわち、ステップ４１０においては、モニタ７０に対して、通常の表示状態に戻る旨の信号等が送られ、モニタ７０の画面７１上には、通常の表示状態（ステップ４０１以前の表示状態）が映し出されることとなる。
【００４６】
以上説明したように、本実施形態に係る写真処理装置においては、二つの要素を駆動させ得る操作スイッチ（兼用スイッチ）５３が設けられ、この操作スイッチ５３が上述したように機能するので、次のような効果を得ることができる。
【００４７】
まず、本実施形態においては、一つの操作スイッチ５３で二つの要素を作動させ得るわけであるが、作動させる要素をあらかじめモニタ７０等で選択するので（すなわち、実際の操作の前にユーザが作動要素の確認を行うこととなるので）、ユーザは、特に混乱することなく、操作スイッチ５３を使用することができる。
また、本実施形態は、一つの操作スイッチ５３で二つの要素を作動させ得るべく構成されている。すなわち、従来二つであったスイッチを一つにすることが可能となったことにより、スイッチの設置スペースを１／２としたので、スイッチの取り付けスペースの削減を行うことができる。
また、本実施形態によれば、従来二つであったスイッチを一つとしたことにより、スイッチ回りの部品等を半分にすることが可能となるので、コストダウンを図ることができる。
さらに、本実施形態によれば、従来二つであったスイッチを一つとしたことにより、部品点数等が削減されるので、スイッチ回りにおける故障の発生率を従来よりも低減することが可能となる。
【００４８】
なお、本実施形態においては、操作スイッチ５３で駆動させる要素の標準状態等については特に述べず、図４に示したフローチャートのステップ４０２以降において、「トレイ」か「補充ポンプ」のいずれかを選択する場合について説明したが本発明はこの構成に限定されるものではない。したがって、例えば、操作スイッチ５３を押すと、基本的にトレイ５１が駆動可能であるように設定し（いわゆる標準状態等においてはトレイ５１が操作可能であるように設定し）、必要に応じて、モニタ７０およびキーボード８０等を使用して、操作スイッチ５３にて他の要素（ここでは補充ポンプ）も駆動させ得るように設定可能であるべく構成してもよい。
【００４９】
また、本実施形態においては、操作スイッチ５３が二つの要素を駆動させ得るべく構成された場合について説明したが、本発明はこの構成に限定されるものではない。したがって、例えば、三つ以上の要素を一つの操作スイッチで駆動させ得るべく構成してもよい。この際には、表示手段７０の画面７１上の表示状態を各要素を適切に選択可能であるべく表示して、キーボード８０で適切に必要な要素を選択すればよい。
【００５０】
【発明の効果】
以上説明したように本発明によれば、複数のマニュアルスイッチを統合して複数の要素を操作可能な操作スイッチを設けることによって、操作スイッチに関して、設置する際のスペースを削減し、コストアップを抑え、故障率を低下させることが可能である写真処理装置を得ることができる。
【図面の簡単な説明】
【図１】本発明の実施形態に係る写真処理装置の全体概略図
【図２】図１の写真処理装置の概略断面図
【図３】本実施形態に係る写真処理装置を構成している集積手段およびその近傍の部分拡大斜視図
【図４】本実施形態に係る写真処理装置を構成する操作スイッチに関するフローチャート
【図５】従来技術に係る写真処理装置の概略斜視図
【符号の説明】
１０…露光処理部、１１…マガジン、１２…選択部、１３…カッタ、１４…露光部、１５…吸着ベルト、１６…露光ステージ、１７…光源部、１８…ミラートンネル、１９…レンズユニット、２０…フィルムキャリア、３０…現像処理部、３１…処理液タンク、３２…乾燥部、３３…第一の排出部、３４…第二の排出部、４０…搬送手段、４１…ベルトコンベア、５０…第一の集積手段、５１…トレイ、５２…ケーシング、５３…操作スイッチ、６０…第二の集積手段
【図１】
0003770453.tif 000002
【図２】
0003770453.tif 000003
【図３】
0003770453.tif 000004
【図４】
0003770453.tif 000005
【図５】
0003770453.tif 000006